(57)【特許請求の範囲】
【請求項１】
外部空間から断熱され、内部に電子機器を収容する収容室と、
前記収容室の外側の少なくとも一部を覆うことが可能なシートと、
前記収容室の外部に配置され、前記シートを引き出し可能に収容する収容部と、
前記収容部から、前記シートを引き出して、前記収容室を覆う引出機構と、
前記収容室内の壁面の表面温度を検出する室内温度センサと、
前記収容室外の壁面の表面温度を検出する室外温度センサと、
前記室内温度センサによって検出された温度と、前記室外温度センサによって検出された温度との差が、閾値より大きい場合に、前記引出機構を駆動して、前記シートで前記収容室を覆う制御部と、
前記収容室の屋根に配置される散水配管と、
前記収容室の屋根より高い位置に配置される貯水タンクと、
前記貯水タンクに蓄えられた水を前記収容室の外壁に散水する散水機構と、
を備え、
前記制御部は、
前記室内温度センサによって検出された温度と、前記室外温度センサによって検出された温度との差が、閾値より大きい場合に、前記散水機構を駆動して、前記収容室の外壁に散水を行うコンテナ型データセンタ。
【請求項２】
前記制御部は、
前記室内温度センサによって検出された温度が、閾値より大きい場合に、前記引出機構を駆動して、前記シートで前記収容室を覆う請求項１に記載のコンテナ型データセンタ。
【請求項３】
前記制御部は、
前記室内温度センサによって検出された温度と、前記室外温度センサによって検出された温度との差が閾値より大きく、前記室内温度センサによって検出された温度が閾値以下の場合に、前記引出機構を駆動して、前記シートを収容する請求項１又は２に記載のコンテナ型データセンタ。
【請求項４】
前記制御部は、
前記室内温度センサによって検出された温度が、露点温度より小さくなった場合に、前記引出機構を駆動して、前記シートで前記収容室を覆う請求項１乃至３のいずれか一項に記載のコンテナ型データセンタ。
【請求項５】
前記制御部は、
前記室内温度センサによって検出された温度が、閾値より大きい場合に、前記散水機構を駆動して、前記収容室の外壁に散水を行う請求項１乃至４のいずれか一項に記載のコンテナ型データセンタ。
【請求項６】
前記制御部は、
前記室内温度センサによって検出された温度が、露点温度より小さくなった場合に、前記散水機構を駆動して、前記収容室の外壁に散水を行う請求項１乃至５のいずれか一項に記載のコンテナ型データセンタ。
【請求項７】
前記制御部は、
前記シートによって前記収容室が覆われている場合に、前記散水機構を駆動して、前記収容室の外壁に散水を行う請求項１乃至６のいずれか一項に記載のコンテナ型データセンタ。
【発明の詳細な説明】
【技術分野】
【０００１】
本発明の実施形態は、コンテナ型データセンタに関する。
【背景技術】
【０００２】
近年、サーバなどの電子機器をコンテナに収容することによりユニット化したコンテナ型データセンタへの注目度が高まっている（例えば、特許文献１参照）。コンテナ型データセンタは、トラックでの運搬が可能であり、電源を確保することができる場所であれば、屋内外を問わずに使用することができる。
【０００３】
電子機器を収容するコンテナの内部は、コンテナ型データセンタが設置されるところの気候や環境の影響を大きく受ける。このため、コンテナ型データセンタには、コンテナの内部を冷却するための冷却系が備え付けられている。しかしながら、夏場などの強い日差しがコンテナに直接当たる場合には、コンテナの内部の温度が上昇することがある。また、冬場などの寒暖の差が激しい場合などには、コンテナの壁や天井の表面に表面結露が生じたり、壁や天井の内部に内部結露が生じたりすることが考えられる。特に、上記内部結露は、壁や天井に使用される断熱材の劣化を引き起こす懸念がある。
【先行技術文献】
【特許文献】
【０００４】
【特許文献１】特開２００９−２３０３２９号公報
【発明の概要】
【発明が解決しようとする課題】
【０００５】
本発明は、上述の事情の下になされたもので、電子機器が収容される空間の環境を一定に維持することを課題とする。
【課題を解決するための手段】
【０００６】
上述の課題を解決するために、本実施形態に係るコンテナ型データセンタは、外部空間から断熱され、内部に電子機器を収容する収容室と、前記収容室の外側の少なくとも一部を覆うことが可能なシートと、前記収容室の外部に配置され、前記シートを引き出し可能に収容する収容部と、前記収容部から、前記シートを引き出して、前記収容室を覆う引出機構と、前記収容室内の壁面の表面温度を検出する室内温度センサと、前記収容室外の壁面の表面温度を検出する室外温度センサと、前記室内温度センサによって検出された温度と、前記室外温度センサによって検出された温度との差が、閾値より大きい場合に、前記引出機構を駆動して、前記シートで前記収容室を覆う制御部と、前記収容室の屋根に配置される散水配管と、前記収容室の屋根より高い位置に配置される貯水タンクと、前記貯水タンクに蓄えられた水を前記収容室の外壁に散水する散水機構と、を備え、前記制御部は、前記室内温度センサによって検出された温度と、前記室外温度センサによって検出された温度との差が、閾値より大きい場合に、前記散水機構を駆動して、前記収容室の外壁に散水を行う。
【図面の簡単な説明】
【０００７】
【図１】本実施形態に係るコンテナ型データセンタの斜視図である。
【図２】コンテナの内部を示す平面図である。
【図３】遮蔽ユニットの斜視図である。
【図４】収容ケースの断面を示す図である。
【図５】ガイドレールの断面を、スライドバーとともに示す図である。
【図６】遮蔽ユニットの動作を説明するための図である。
【図７】散水システムを示す斜視図である。
【図８】コンテナ型データセンタの制御系を示す図である。
【図９】制御装置が実行する一連処理を示すフローチャートである。
【図１０】制御装置が実行する一連処理を示すフローチャートである。
【図１１】制御装置が実行する一連処理を示すフローチャートである。
【発明を実施するための形態】
【０００８】
以下、本発明の一実施形態を、図面を用いて説明する。説明には、相互に直交するＸ軸、Ｙ軸、Ｚ軸からなるＸＹＺ座標系を用いる。
【０００９】
図１は、本実施形態に係るコンテナ型データセンタ１０の斜視図である。コンテナ型データセンタ１０は、コンテナの内部にサーバを収容する運搬可能なデータセンタである。図１に示されるように、コンテナ型データセンタ１０は、コンテナ２０、コンテナ２０の内部を冷却する冷却システム９０を有している。
【００１０】
コンテナ２０は、長手方向をＸ軸方向とする長方形の容体である。コンテナ２０の天井、床下、及び外壁は、外部空間と断熱された２重構造となっている。コンテナ２０の−Ｘ側の面には扉２１が設けられている。コンテナ２０の内部には、ステップ２３を利用して、扉２１から出入りすることができる。
【００１１】
冷却システム９０は、コンテナ２０の内部を冷却するためのシステムである。冷却システム９０は、コンプレッサや熱交換器などを有する冷却装置９１と、冷却装置９１とコンテナ２０の内部とを接続する接続部９２を有している。
【００１２】
コンテナ２０内部の空気は、接続部９２を介して冷却装置９１に吸引され冷却される。そして、接続部９２を介して、コンテナ２０の内部に排気される。コンテナ２０の内部の空気が、接続部９２を介してコンテナ２０と冷却装置９１との間を循環することで、コンテナ２０の内部空間が空調される。
【００１３】
図２は、コンテナ２０の内部を示す平面図である。図２に示されるように、コンテナ２０の内部中央には、コンピュータやサーバなどの電子機器を収容するラック１００が設置されている。また、ラック１００のＸ軸方向両側にはそれぞれ隔壁２５が設けられている。ラック１００及び隔壁２５によって、コンテナ２０の内部空間が、ラック１００の＋Ｙ側の空間２０Ｃと、ラック１００の−Ｙ側の空間２０Ｈに区画される。
【００１４】
図２の矢印に示されるように、冷却装置９１によって冷却された空気は、空間２０Ｃに排気される。空間２０Ｃに排気された空気は、ラック１００を通過して空間２０Ｈに至る。冷却された空気がラック１００を通過するときに、ラック１００に収容された電子機器と空気との間で熱交換が行われ、電子機器が冷却される。ラック１００を通過することで温められ、空間２０Ｈに至る空気は、接続部９２を介して冷却装置９１に吸気される。そして、冷却装置９１によって、冷却された後に、空間２０Ｃへ排気される。このように、空気が、冷却装置９１、空間２０Ｃ、空間２０Ｈと循環することにより、ラック１００に収容された電子機器の冷却が行われる。コンテナ２０の内部空間は、空間２０Ｃが、温度が低いコールドエリアとなり、空間２０Ｈが、温度が高いホットエリアとなる。
【００１５】
図２に示されるように、空間２０Ｈを区画するコンテナ２０の内壁面には、室内温度センサＴ１が設けられている。そして、空間２０Ｃを区画するコンテナ２０の内壁面には、室内温度センサＴ２が設けられている。また、コンテナ２０の外壁面には、外壁を挟んで室内温度センサＴ１，Ｔ２と対向する室外温度センサＴ３，Ｔ４が設けられている。
【００１６】
室内温度センサＴ１，Ｔ２、室外温度センサＴ３，Ｔ４は、白金抵抗温度センサなどを用いることができる。室内温度センサＴ１，Ｔ２は、それぞれコンテナ２０の内壁の表面温度の検出に用いられる。また、室外温度センサＴ３，Ｔ４は、コンテナ２０の外壁の表面温度の検出に用いられる。
【００１７】
コンテナ２０の内部には、コンテナ２０内部の温度及び湿度を検出するための温湿度センサモジュールＴＨ１，ＴＨ２が設けられている。温湿度センサモジュールＴＨ１は、空間２０Ｈの温度及び湿度の検出に用いられる。また、温湿度センサモジュールＴＨ２は、空間２０Ｃの温度及び湿度の検出に用いられる。温湿度センサモジュールＴＨ１，ＴＨ２は、コンテナ２０内部の温度及び湿度に応じた信号を出力する。
【００１８】
図１に戻り、コンテナ２０には、４つの遮蔽ユニット３０ａ，３０ｂ，３０ｃ，３０ｄと、散水システム４０が設けられている。
【００１９】
遮蔽ユニット３０ａ〜３０ｄは、コンテナ２０の外壁をシートで覆うことにより、コンテナ２０が直射日光によって温められることを防止するために、主として用いられる。
【００２０】
図３は、遮蔽ユニット３０ａの斜視図である。図３に示されるように、遮蔽ユニット３０ａは、長手方向をＸ軸方向とする収容ケース３１、収容ケース３１に接続されるＬ字状のガイドレール３３，３４、ガイドレール３３，３４に沿って移動するスライドバー３２、スライドバー３２を移動させるためのワイヤ３５、ワイヤ３５を架設するための支持ローラ３６，３７、ワイヤ３５を介してスライドバー３２を駆動する駆動モータ３８を有している。
【００２１】
収容ケース３１は、コンテナ２０の上面（＋Ｚ側の面）の中央部に、Ｘ軸と平行になるように取り付けられている。図４は、収容ケース３１の断面を示す図である。図４に示されるように、収容ケース３１の−Ｙ側の面には、開口部３１ａが形成されている。そして、内部には、巻取ローラ３１ｂと、従動ローラ３１ｃが設けられている。
【００２２】
巻取ローラ３１ｂは、コンテナ２０の表面を覆うシート６０を巻き取るためのローラである。巻取ローラ３１ｂは、長手方向をＸ軸方向とするローラであり、その長さは、収容ケース３１の長さとほぼ等しい。巻取ローラ３１ｂは、Ｘ軸に平行な軸回りに回転可能に支持されている。
【００２３】
シート６０は、断熱性の比較的高いポリエチレンを基材とするシートである。シート６０を構成する基材の表面には、日光に対する反射率が高いアルミニウムからなる金属膜が形成されている。このシート６０は、巻取ローラ３１ｂに巻き取られた状態で、収容ケース３１に収容される。
【００２４】
従動ローラ３１ｃは、巻取ローラ３１ｂの−Ｙ側に配置されている。従動ローラ３１ｃは、Ｘ軸に平行な軸回りに回転する円板状のローラである。
【００２５】
図３に戻り、ガイドレール３３，３４は、Ｙ軸に平行な部分と、Ｚ軸に平行な部分の２部分を有するＬ字状の部材である。ガイドレール３３，３４には、複数の支持部３３ａ，３４ａが形成されている。ガイドレール３３，３４は、支持部３３ａ，３４ａが、コンテナ２０の外壁に固定されることで、コンテナ２０の外壁に沿って配置される。ガイドレール３３の一端は、収容ケース３１の＋Ｘ側端に接続されている。そして、ガイドレール３４の一端は、収容ケース３１の−Ｘ側端に接続されている。
【００２６】
ガイドレール３３，３４の支持部３３ａ，３４ａの数は、コンテナ２０の表面への熱伝導を考慮すると、なるべく少なくするのが好ましい。
【００２７】
図５は、ガイドレール３３，３４の断面を、スライドバー３２とともに示す図である。図５に示されるように、ガイドレール３３，３４は、断面がＣ字状になるように整形されている。ガイドレール３３，３４のスライドバー３２に対向する面には、断面がＴ字状の溝３３ｂ，３４ｂが、ガイドレール３３，３４に沿って形成されている。
【００２８】
図３に戻り、スライドバー３２は、長手方向をＸ軸方向とする長方形の部材である。スライドバー３２は、ガイドレール３３とガイドレール３４の間に位置している。図５に示されるように、スライドバー３２の両端部には、Ｘ軸方向へ突出する突出部３２ｂが形成され、突出部３２ｂ先端部には円形のスライド部３２ａが形成されている。スライドバー３２は、一対のスライド部３２ａが、ガイドレール３３，３４に形成された溝３３ｂ，３４ｂに嵌め込まれることで、ガイドレール３３，３４に沿って摺動可能に支持される。
【００２９】
図３に示されるように、支持ローラ３６，３７は、ガイドレール３３，３４それぞれの屈曲部の間に配置されている。図４に示されるように、支持ローラ３６，３７は、コンテナ２０の上面と側面によって形成されるコーナー部分に固定された支持部材２０ａによって、Ｘ軸に平行な軸回りに回転可能に支持されている。
【００３０】
駆動モータ３８は、ガイドレール３３，３４の下端部の間に配置されている。駆動モータ３８は、回転軸がＸ軸に平行になるように、コンテナ２０の側面に固定されている。駆動モータ３８の回転軸には、駆動ローラ３９が固定されている。
【００３１】
ワイヤ３５は、図４に示されるように、収容ケース３１に設けられた従動ローラ３１ｃと、駆動モータ３８の回転軸に設けられた駆動ローラ３９に巻き回されている。そして、中央部を、支持ローラ３６，３７に支持されている。これにより、ワイヤ３５は、コンテナ２０の上面及び側面に平行になるように架設される。
【００３２】
スライドバー３２は、ワイヤ３５に固定されている。このため、駆動モータ３８を駆動して駆動ローラ３９を回転させると、ワイヤ３５とともに、スライドバー３２がガイドレール３３，３４に沿って移動する。図４に示されるように、収容ケース３１に収容されるシート６０の−Ｙ側端部は、スライドバー３２に固定されている。このため、駆動モータ３８を駆動して、スライドバー３２をガイドレール３３，３４に沿って移動させることにより、シート６０を、収容ケース３１から引き出したり、収容ケース３１へ収容したりすることができる。
【００３３】
具体的には、図６に実線で示される位置まで、スライドバー３２を、ガイドレール３３，３４に沿って移動させることで、収容ケース３１からシート６０を引き出して、コンテナ２０の上面及び側面を覆うことができる。このとき、シート６０は、ガイドレール３３，３４によって、コンテナ２０の上面や側面に平行になった状態で展開する。
【００３４】
また、図６に実線で示される位置から、破線で示される位置まで、スライドバー３２を、ガイドレール３３，３４に沿って移動させることで、収容ケース３１へシート６０を収容して、コンテナ２０の上面及び側面を露出させることができる。
【００３５】
スライドバー３２が実線で示される位置まで移動すると、スライドバー３２がリミットスイッチＬＳ２に突き当たり、リミットスイッチＬＳ２が動作する。また、スライドバー３２が破線で示される位置まで移動すると、スライドバー３２がリミットスイッチＬＳ１に突き当たり、リミットスイッチＬＳ１が動作する。
【００３６】
遮蔽ユニット３０ｂ，３０ｃ，３０ｄも、遮蔽ユニット３０ａと同様の構成を有している。図１に示されるように、遮蔽ユニット３０ａは、コンテナ２０の上面の一部と−Ｙ側の側面の−Ｘ側半分を遮蔽する。遮蔽ユニット３０ｂは、コンテナ２０の上面の一部と＋Ｙ側の側面の−Ｘ側半分を遮蔽する。遮蔽ユニット３０ｃは、コンテナ２０の上面の一部と−Ｙ側の側面の＋Ｘ側半分を遮蔽する。遮蔽ユニット３０ｄは、コンテナ２０の上面の一部と＋Ｙ側の側面の＋Ｘ側半分を遮蔽する。
【００３７】
図７は、散水システム４０を示す斜視図である。散水システム４０は、コンテナ２０の上面及び側面に水を散水するためのシステムである。図７に示されるように、散水システム４０は、散水ユニット４１、コンテナ２０の上面に敷設された散水管４３，４４、コンテナ２０の内部に配置された貯水タンク５１，５２、コンテナ２０の下部に配置された樋５３などを有している。
【００３８】
散水ユニット４１は、雨水を貯水する雨水貯水槽、散水ポンプ、電磁弁、フィルタなどから構成されている。散水ユニット４１は、コンテナ２０の上面に固定された支持部材４０ａによって、コンテナ２０の上面から所定のクリアランスを介して支持されている。
【００３９】
散水管４３，４４は、Ｘ軸に平行な部分と、Ｙ軸に平行な２部分からなるパイプである。散水管４３，４４は、Ｙ軸に平行な部分が、コンテナ２０の上面の外縁に位置するように配置されている。散水管４３，４４には、複数の散水口が形成されている。このため、散水管４３，４４に水が供給されると、図７の矢印に示されるように、水が散水される。散水管４３，４４は、中央部が配管４５によって接続されている。また、散水管４３及び配管４５は、配管４２によって散水ユニット４１に接続されている。
【００４０】
樋５３は、コンテナ２０の４つの側面にわたって形成されている。樋５３は、散水管４３，４４から散水された水を回収するために設置されている。樋５３によって回収された水は、配管５３ａを介して、貯水タンク５１に供給される。
【００４１】
貯水タンク５１は、熱伝導率の高いアルミニウムなどを素材とする容器である。貯水タンク５１の表面には、周囲の空気との熱交換が促進されるように、例えば凹凸や放熱フィンなどが設けられている。貯水タンク５１は、コンテナ２０の内部下方に配置されている。図２に示されるように、貯水タンク５１は、コールドエリアとしての空間２０Ｃに配置される。このため、冷却装置９１によって冷却された空気との間で熱交換が行われることにより、貯水タンク５１に蓄えられた水はある程度冷却される。
【００４２】
貯水タンク５２も、貯水タンク５１と同様に、熱伝導率の高いアルミニウムなどを素材とする容器である。貯水タンク５２の表面には、周囲の空気との熱交換が促進されるように、例えば凹凸や放熱フィンなどが設けられている。貯水タンク５２は、コンテナ２０の内部上方に配置されている。図２に示されるように、貯水タンク５２は、ホットエリアとしての空間２０Ｈに配置される。このため、ラック１００を通過することにより温められた空気との間で熱交換が行われる。これにより、貯水タンク５１に蓄えられた水はある程度温められる。
【００４３】
貯水タンク５１と貯水タンク５２は、配管４７によって接続されている。このため、配管４７に設けられた給水ポンプ５４を駆動することで、貯水タンク５１に蓄えられた水を貯水タンク５２へ供給することができる。散水に供する水は、夏場など外気温が高くなるときには、貯水タンク５１に蓄えられ、冬場など外気温が低くなるときには、貯水タンク５２に蓄えられる。
【００４４】
貯水タンク５１は、配管４６を介して、散水ユニット４１に接続されている。また、貯水タンク５２は、配管４８を介して、散水ユニット４１に接続されている。このため、散水ユニット４１は、貯水タンク５１に蓄えられた水と、貯水タンク５２に蓄えられた水を選択的に散水することができる。
【００４５】
上述のように構成される散水システム４０では、散水ユニット４１によって、雨水貯水槽に蓄えられた水や、貯水タンク５１或いは貯水タンク５２に蓄えられた水が、散水管４３，４４に供給される。これにより、散水管４３，４４の散水口から矢印に示されるように水が散水される。散水管４３，４４から散水された水は、コンテナ２０の上面及び側面を流れ落ちる。このとき、水とコンテナ２０との間で熱交換が行われ、コンテナ２０が冷却される。コンテナ２０の側面を流れ落ちる水は、樋５３によって回収され、再度、貯水タンク５１、又は貯水タンク５２を経由して、散水管４３，４４を介して散水される。
【００４６】
図８は、コンテナ型データセンタ１０の制御系を示す図である。上述した、室内温度センサＴ１，Ｔ２、室外温度センサＴ３，Ｔ４、温湿度センサモジュールＴＨ１，ＴＨ２、遮蔽ユニット３０ａ〜３０ｄ、及び散水システム４０は、制御装置１１に接続されている。
【００４７】
制御装置１１は、コンテナ２０の内部に配置されている。制御装置１１は、ＣＰＵ（Central Processing Unit）、ＣＰＵの作業領域として用いられる主記憶部、ＣＰＵが実行するプログラムが格納される補助記憶部などから構成される。ＣＰＵは、主記憶部を作業領域として使用し、補助記憶部に記憶されるプログラムを実行することにより、遮蔽ユニット３０ａ〜３０ｄ、及び散水システム４０を統括的に制御する。
【００４８】
以下、制御装置１１の動作について、図９〜図１１のフローチャートに基づいて説明する。制御装置１１は、ユーザによって起動されると、図９〜図１１に示される一連の処理を実行する。
【００４９】
制御装置１１は、まず、現在の時期が夏季であるか冬季であるかを判断する（ステップＳ１０１）。この判断は、例えば、５月から１０月が夏季、１１月から４月までが冬季であると予め設定しておき、今現在の月が夏季に含まれるか、冬季に含まれるかを判定することにより行う。制御装置１１は、例えば、今現在が９月なら夏季と判断し（ステップＳ１０１；Ｙｅｓ）、今現在が１１月なら冬季と判断する（ステップＳ１０１：Ｎｏ）。
【００５０】
制御装置１１は、現在の時期が夏季であると判断した場合には（ステップＳ１０１：Ｙｅｓ）、夏季断熱動作を行う（ステップＳ１０２）。
【００５１】
夏季断熱動作では、図１０のサブルーチン２００に示される一連の処理が実行される。制御装置１１は、室内温度センサＴ１と室外温度センサＴ３との温度差ΔＴ、及び室内温度センサＴ２と室外温度センサＴ４との温度差ΔＴを求める（ステップＳ２０１）。
【００５２】
次に、制御装置１１は、シート６０が収容ケース３１から引き出されて、展開された状態になっているか否かを判断する（ステップＳ２０２）。制御装置１１は、シート６０が展開されていないと判断した場合には（ステップＳ２０２：Ｎｏ）、温度差ΔＴが閾値Ｔｈ１よりも大きいか否かを判断する（ステップＳ２０３）。
【００５３】
通常、コンテナ２０に直射日光があたる場合には、コンテナ２０の内壁の表面温度と外壁の表面温度の差が大きくなる。そこで、制御装置１１は、温度差ΔＴが閾値Ｔｈ１よりも大きくなったと判断した場合には（ステップＳ２０３：Ｙｅｓ）、室内温度センサＴ１，Ｔ２によって検出される温度ＴＩが、閾値Ｔｈ２よりも大きいか否かを判断する（ステップＳ２０４）。ここで、温度ＴＩを閾値Ｔｈ２と比較するのは、コンテナ２０の内壁の表面温度が低い場合には、直射日光を遮るための処理が必要ないからである。
【００５４】
制御装置１１は、温度ＴＩが、閾値Ｔｈ２よりも大きいと判断した場合には（ステップＳ２０４：Ｙｅｓ）、遮蔽ユニット３０ａ〜３０ｄの駆動モータ３８を駆動して、リミットスイッチＬＳ２が動作するまで、スライドバー３２を移動させる。これにより、収容ケース３１からシート６０が引き出されて展開する（ステップＳ２０５）。この動作により、コンテナ２０への直射日光が遮られる。
【００５５】
なお、閾値Ｔｈ１，Ｔｈ２は、コンテナ型データセンタ１０が設置される場所や、地域、或いは、コンテナ型データセンタ１０の大きさなどに応じて決定することができる。
【００５６】
次に、制御装置１１は、温度差ΔＴが閾値Ｔｈ３よりも大きいか否かを判断する（ステップＳ２０６）。制御装置１１は、温度差ΔＴが閾値Ｔｈ３よりも大きくなったと判断した場合には（ステップＳ２０６：Ｙｅｓ）、室内温度センサＴ１，Ｔ２によって検出される温度ＴＩが、閾値Ｔｈ４よりも大きいか否かを判断する（ステップＳ２０７）。制御装置１１は、温度ＴＩが、閾値Ｔｈ４よりも大きいと判断した場合には（ステップＳ２０７：Ｙｅｓ）、散水ユニット４１を駆動して、コンテナ２０に対する散水を開始する（ステップＳ２０８）。これにより、貯水タンク５１に蓄えられた水が散水され、コンテナ２０が水冷される。
【００５７】
制御装置１１は、コンテナ２０に対する散水を開始した場合（ステップＳ２０８）、温度差ΔＴが閾値Ｔｈ１或いは閾値Ｔｈ３以下である場合（ステップＳ２０３，Ｓ２０６：Ｎｏ）、或いは、温度ＴＩが閾値Ｔｈ２或いは閾値Ｔｈ４以下である場合には（ステップＳ２０４，Ｓ２０７：Ｎｏ）、サブルーチン２００を終了する。
【００５８】
一方、制御装置１１は、ステップＳ２０２で、シート６０が展開されていると判断した場合には（ステップＳ２０２：Ｙｅｓ）、温度差ΔＴが閾値Ｔｈ５よりも大きいか否かを判断する（ステップＳ２０９）。通常、コンテナ２０への直射日光がシートにより遮られた場合には、コンテナ２０内部の空気が効率よく冷却され、コンテナ２０の内壁の表面温度と外壁の表面温度の差が大きくなる。そこで、制御装置１１は、温度差ΔＴが閾値Ｔｈ５よりも大きくなったと判断した場合には（ステップＳ２０９：Ｙｅｓ）、室内温度センサＴ１，Ｔ２によって検出される温度ＴＩが、閾値Ｔｈ６よりも小さいか否かを判断する（ステップＳ２１０）。ここで、温度ＴＩを閾値Ｔｈ２と比較するのは、コンテナ２０の内壁の表面温度が高い場合には、直射日光を遮る必要があるからである。
【００５９】
制御装置１１は、温度ＴＩが、閾値Ｔｈ６よりも小さいと判断した場合には（ステップＳ２１０：Ｙｅｓ）、遮蔽ユニット３０ａ〜３０ｄの駆動モータ３８を駆動して、リミットスイッチＬＳ１が動作するまで、スライドバー３２を移動させる。これにより、収容ケース３１にシート６０が収容される（ステップＳ２１１）。
【００６０】
なお、閾値Ｔｈ５は，閾値Ｔｈ１よりも大きくなるように設定される。また、閾値Ｔｈ６は、閾値Ｔｈ２よりも小さくなるように設定される。
【００６１】
次に、制御装置１１は、温度差ΔＴが閾値Ｔｈ７よりも大きいか否かを判断する（ステップＳ２１２）。制御装置１１は、温度差ΔＴが閾値Ｔｈ７よりも大きくなったと判断した場合には（ステップＳ２１２：Ｙｅｓ）、室内温度センサＴ１，Ｔ２によって検出される温度ＴＩが、閾値Ｔｈ８よりも小さいか否かを判断する（ステップＳ２１３）。制御装置１１は、温度ＴＩが、閾値Ｔｈ８よりも小さいと判断した場合には（ステップＳ２１３：Ｙｅｓ）、散水ユニット４１の動作を停止して、コンテナ２０への散水を停止する（ステップＳ２１４）。
【００６２】
制御装置１１は、コンテナ２０に対する散水を停止した場合（ステップＳ２１４）、温度差ΔＴが閾値Ｔｈ５或いは閾値Ｔｈ７以下である場合（ステップＳ２０９，Ｓ２１２：Ｎｏ）、或いは、温度ＴＩが閾値Ｔｈ６或いは閾値Ｔｈ８以上である場合には（ステップＳ２１０，Ｓ２１３：Ｎｏ）、サブルーチン２００を終了する。
【００６３】
制御装置１１は、サブルーチン２００を終了すると、図９のステップＳ１０１へ戻る。一方、制御装置１１は、ステップＳ１０１で、現在の時期が冬季であると判断した場合には（ステップＳ１０１：Ｎｏ）、冬季断熱動作を行う（ステップＳ１０３）。
【００６４】
冬季断熱動作では、図１１のサブルーチン３００に示される一連の処理が実行される。制御装置１１は、シート６０が収容ケース３１から引き出されて、展開された状態になっているか否かを判断する（ステップＳ３０１）。制御装置１１は、シート６０が展開されていないと判断した場合には（ステップＳ３０１：Ｎｏ）、室内温度センサＴ１，Ｔ２によって検出される温度ＴＩが、コンテナ２０の内部に結露が生じる露点温度ＴＤより小さいか否かを判断する（ステップＳ３０２）。
【００６５】
露点温度ＴＤは、コンテナ２０内部の温度及び湿度によって決まる温度である。制御装置１１は、温湿度センサモジュールＴＨ１，ＴＨ２からの出力に基づいて、露点温度ＴＤを算出する。そして、算出した露点温度ＴＤと温度ＴＩとを比較する。本実施形態では、温湿度センサモジュールＴＨ１からの出力に基づいて算出される露点温度ＴＤと、室内温度センサＴ１によって検出される温度ＴＩとが比較され、温湿度センサモジュールＴＨ２からの出力に基づいて算出される露点温度ＴＤと、室内温度センサＴ２によって検出される温度ＴＩとが比較される。
【００６６】
制御装置１１は、温度ＴＩが、露点温度ＴＤよりも小さいと判断した場合には（ステップＳ３０２：Ｙｅｓ）、遮蔽ユニット３０ａ〜３０ｄの駆動モータ３８を駆動して、リミットスイッチＬＳ２が動作するまで、スライドバー３２を移動させる。これにより、収容ケース３１からシート６０が引き出されて展開する（ステップＳ３０３）。
【００６７】
次に、制御装置１１は、散水ユニット４１を駆動して、コンテナ２０に対する散水を開始する（ステップＳ２０８）。これにより、貯水タンク５２に蓄えられた水が散水され、コンテナ２０が温められる。散水された水は、シート６０によって、外気から遮断されるので、効率よくコンテナ２０を温めることができる。
【００６８】
制御装置１１は、コンテナ２０に対する散水を開始した場合（ステップＳ３０４）、或いは、温度ＴＩが露点温度ＴＤ以上であると判断した場合には（ステップＳ３０２：Ｎｏ）、サブルーチン３００を終了する。
【００６９】
一方、制御装置１１は、ステップＳ３０１で、シート６０が展開されていると判断した場合には（ステップＳ３０１：Ｙｅｓ）、温度ＴＩが、コンテナ２０の内部に結露が生じる露点温度ＴＤより大きいか否かを判断する（ステップＳ３０５）。
【００７０】
温度ＴＩが、露点温度ＴＤよりも大きいと判断した場合には（ステップＳ３０５：Ｙｅｓ）、制御装置１１は、遮蔽ユニット３０ａ〜３０ｄの駆動モータ３８を駆動して、リミットスイッチＬＳ１が動作するまで、スライドバー３２を移動させる。これにより、収容ケース３１にシート６０が収容される（ステップＳ３０６）。
【００７１】
次に、制御装置１１は、散水ユニット４１を停止して、コンテナ２０への散水を停止する（ステップＳ３０７）。
【００７２】
制御装置１１は、コンテナ２０に対する散水を停止した場合（ステップＳ３０７）、或いは、温度ＴＩが露点温度ＴＤ以下であると判断した場合には（ステップＳ３０５：Ｎｏ）、サブルーチン３００を終了する。制御装置１１は、サブルーチン３００を終了すると、図９のステップＳ１０１へ戻り、以降、ステップＳ１０１〜Ｓ１０３の処理を繰り返す。
【００７３】
以上説明したように、本実施形態では、コンテナ２０の表面をシート６０によって覆うことにより、コンテナ２０の天井や外壁への直射日光を遮蔽することができる。これにより、コンテナ２０の内部空間の温度などを安定的に維持することが可能となる。
【００７４】
本実施形態では、コンテナ２０の表面をシート６０で覆うことにより、直射日光を遮りつつ、コンテナ２０の表面を水冷することができる。これにより、コンテナ２０に散水された水が外気によって熱せられことが回避される。したがって、コンテナ２０の天井や外壁を効率よく冷却することができる。その結果、コンテナ２０の内部空間の温度などを安定的に維持することが可能となる。
【００７５】
本実施形態では、室内温度センサＴ１，Ｔ２によって、コンテナ２０の内壁の表面温度（温度ＴＩ）が計測される。そして、内壁の表面温度（Ｔ１）が露点温度ＴＤより低い場合には、コンテナ２０の表面をシート６０によって外気から断熱した状態で、コンテナ２０の上面及び側面に温水の散水が行われる。これにより、コンテナ２０の天井及び外壁を効率よく温めることができる。その結果、コンテナ２０の天井や外壁に発生する結露を抑制することができる。
【００７６】
本実施形態では、露点温度ＴＤが、ホットエリアとしての空間２０Ｈに配置された温湿度センサモジュールＴＨ１からの出力と、コールドエリアとしての空間２０Ｃに配置された温湿度センサモジュールＴＨ２からの出力それぞれに基づいて算出される。そのため、空間２０Ｃと空間２０Ｈのうちのいずれかにおいて、結露が発生する条件が整った場合に、コンテナ２０の上面及び側面に温水の散水が行われ、コンテナ２０の天井及び外壁が温められる。したがって、コンテナ２０の天井や外壁に発生する結露を確実に抑制することができる。その結果、内部結露による壁や天井に使用される断熱材の劣化を効果的に抑制することができる。
【００７７】
以上、本発明の実施形態について説明したが、本発明は上記実施形態によって限定されるものではない。例えば、上記実施形態では、室内温度センサＴ１と室外温度センサＴ３との温度差ΔＴ、及び室内温度センサＴ２と室外温度センサＴ４との温度差ΔＴのいずれかが条件を満たした場合に、遮蔽ユニット３０ａ〜３０ｄを同時に駆動することとした。これに限らず、室内温度センサＴ１と室外温度センサＴ３との温度差ΔＴが閾値との関係で条件を満たした場合には、遮蔽ユニット３０ａ，３０ｃを駆動し、室内温度センサＴ２と室外温度センサＴ４との温度差ΔＴが閾値との関係で条件を満たした場合には、遮蔽ユニット３０ｂ，３０ｄを駆動することとしてもよい。
【００７８】
同様に、温度センサを遮蔽ユニット３０ａ〜３０ｄごとに設け、遮蔽ユニット３０ａ〜３０ｄを独立して駆動することとしてもよい。
【００７９】
上記実施形態では、室内温度センサＴ１と室外温度センサＴ３との温度差ΔＴ、及び室内温度センサＴ２と室外温度センサＴ４との温度差ΔＴのいずれかが、条件を満たした場合に、コンテナ２０の側面全体に散水を行うこととした。これに限らず、室内温度センサＴ１と室外温度センサＴ３との温度差ΔＴが閾値との関係で条件を満たした場合には、散水管４４を用いた散水を行い、室内温度センサＴ２と室外温度センサＴ４との温度差ΔＴが閾値との関係で条件を満たした場合には、散水管４３を用いた散水を行うこととしてもよい。
【００８０】
上記実施形態では、コンテナ２０に４つの遮蔽ユニット３０ａ〜３０ｄが配置されている場合について説明した。これに限らず、コンテナ２０には、３つ以下、或いは５つ以上の遮蔽ユニットが配置されていてもよい。
【００８１】
上記実施形態では、散水ユニット４１が、コンテナ２０の上方に設置されている場合について説明した。これに限らず、散水ユニット４１は、コンテナ２０の天井よりも高い位置であれば、どこに設置されていてもよい。また、散水ユニット４１の形状は、長方形に限られるものではなく、設置位置に応じて適宜変更することができる。
【００８２】
上記実施形態では、コンテナ２０の上面及び側面に、雨水を散水する場合いついて説明した。これに限らず、コンテナ２０の上面及び側面に、水道水を散水することとしてもよい。
【００８３】
本発明のいくつかの実施形態を説明したが、これらの実施形態は、例として提示したものであり、発明の範囲を限定することは意図していない。これら新規な実施形態は、その他の様々な形態で実施しうるものであり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００８４】
１０  コンテナ型データセンタ
１１  制御装置
２０  コンテナ
２０ａ  支持部材
２１  扉
２３  ステップ
２５  隔壁
３０ａ  遮蔽ユニット
３０ｂ  遮蔽ユニット
３０ｃ  遮蔽ユニット
３０ｄ  遮蔽ユニット
３０ａ〜３０ｄ  遮蔽ユニット
３１  収容ケース
３１ａ  開口部
３１ｂ  巻取ローラ
３１ｃ  従動ローラ
３２  スライドバー
３２ａ  スライド部
３２ｂ  突出部
３３，３４  ガイドレール
３３ａ，３４ａ  支持部
３３ｂ，３４ｂ  溝
３５  ワイヤ
３６，３７  支持ローラ
３８  駆動モータ
３９  駆動ローラ
４０  散水システム
４０ａ  支持部材
４１  散水ユニット
４２  配管
４３，４４  散水管
４５〜４８，５３ａ  配管
５１，５２  貯水タンク
５３  樋
５４  給水ポンプ
６０  シート
９０  冷却システム
９１  冷却装置
９２  接続部
１００  ラック
ＬＳ１，ＬＳ２  リミットスイッチ
Ｔ１，Ｔ２  室内温度センサ
Ｔ３，Ｔ４  室外温度センサ
ＴＨ１，ＴＨ２  温湿度センサモジュール
【要約】      （修正有）【課題】電子機器が収容される空間の環境を一定に維持する。【解決手段】コンテナ型データセンタ１０は、内部に電子機器を収容する収容室と、収容室の外側の少なくとも一部を覆うことが可能なシートと、収容室の外部に配置され、シートを引き出し可能に収容する収容部と、を備える。収容室の表面をシートによって覆うことにより、日光が直接収容室の天井や外壁にあたるのを回避することができる。これにより、収容室の内部空間の温度などを安定的に維持することが可能となる。【選択図】図１【図１】
0005913504.tif 000002
【図２】
0005913504.tif 000003
【図３】
0005913504.tif 000004
【図４】
0005913504.tif 000005
【図５】
0005913504.tif 000006
【図６】
0005913504.tif 000007
【図７】
0005913504.tif 000008
【図８】
0005913504.tif 000009
【図９】
0005913504.tif 000010
【図１０】
0005913504.tif 000011
【図１１】
0005913504.tif 000012